(57)【要約】【課題】隣り合う太陽電池間の電位差を従来よりも小さくする太陽電池配列により、太陽電池間の放電を抑制するとともに、軽量で太陽電池実装効率が良くかつ低コストの太陽電池パネルを提供する。【解決手段】全ての隣り合う太陽電池間の電位差が太陽電池アセンブリ列９の最大出力電圧Ｖ以下となるように太陽電池を配列することにより、太陽電池間の放電を抑制できる。また、電力制御回路の制御によって太陽電池モジュールの出力電圧が変化した場合でも太陽電池モジュール間の電位差が常に太陽電池アセンブリ列９の最大出力電圧Ｖ以下となるような太陽電池配列によって、太陽電池モジュール間の放電も抑制できる。さらに、線対称性を有する太陽電池配列パターンの組み合わせで太陽電池モジュールを構成することで、太陽電池間の放電を抑制できるとともに、太陽電池回路による磁場発生を抑制できる。【選択図】        図６
2004265926.tif 000002
【特許請求の範囲】
【請求項１】
太陽電池と、該太陽電池間を電気的直列に接続するインターコネクタとから構成され、該太陽電池複数個を概直線状に配置し、夫々の太陽電池間をインターコネクタにより電気的直列に接続して成る太陽電池アセンンブリ列と、
上記太陽電池アセンブリ列が所定の間隔を置いて複数配列された絶縁体と、
隣接する上記複数個の太陽電池アセンブリ列を電気的直列に接続する接続線路とを備え、
上記太陽電池アセンブリ列の電位勾配の向きが、何れも同一方向になるように配置したことを特徴とする太陽電池パネル。
【請求項２】
太陽電池と、該太陽電池間を電気的直列に接続するインターコネクタとから構成され、該太陽電池複数個を概直線状に配置し、夫々の太陽電池間をインターコネクタにより電気的直列に接続して成る太陽電池アセンンブリ列と、
上記太陽電池アセンブリ列が所定の間隔を置いて複数配列された絶縁体と、
一部の太陽電池アセンンブリ列を電気的直列に接続して第１の太陽電池ストリングを形成する第１の接続線路と、
他の太陽電池アセンンブリ列を電気的直列に接続して第２の太陽電池ストリングを形成する第２の接続線路とを備え、
上記第１の太陽電池ストリングの太陽電池アセンンブリ列と、
上記第２の太陽電池ストリングの太陽電池アセンンブリ列とが、必ず隣り合うように配列されたことを特徴とする太陽電池パネル。
【請求項３】
太陽電池アセンブリ列が、互いに隣り合う太陽電池モジュールの境界線の中心において点対称性を有するように配列し、
上記隣り合う太陽電池モジュールの境界に位置する太陽電池の最大電位が太陽電池アセンブリ列の最大出力電圧以下であることを特徴とする請求項１または請求項２のどちらか１項に記載の太陽電池パネル。
【請求項４】
太陽電池アセンブリ列が、互いに隣り合う太陽電池モジュールの境界線において線対称性を有するように配列し、
上記隣り合う太陽電池モジュールの境界に位置する太陽電池の最大電位が太陽電池アセンブリ列の最大出力電圧以下であることを特徴とする請求項３に記載の太陽電池パネル。
【発明の詳細な説明】
【０００１】
【発明の属する技術分野】
本発明は、人工衛星、飛行船等の宇宙船にて用いられる太陽電池パネルに関し、特に太陽電池間の放電を抑制する太陽電池配列および太陽電池パネル構造に関する。
【０００２】
【従来の技術】
これまで太陽電池パネルを搭載した数多くの宇宙船が宇宙空間に打ち上げられてきたが、宇宙船が高機能化するにつれて、大電力の供給が可能な太陽電池パネルが必要となり、これに伴い太陽電池パネルの出力電圧を高くする必要がでてきた。太陽電池パネルの出力電圧が高くなると、太陽電池間の電位差が大きくなるために、太陽電池の発生電力をエネルギー源とした放電が太陽電池間で発生しやすくなる。
【０００３】
従来の太陽電池では放電を防ぐための対策として、例えばＲＴＶ接着剤等の絶縁材料を太陽電池間の間隙に充填し、絶縁バリアとして使用された太陽電池パネルが知られている（例えば、特許文献１参照。）。
【０００４】
【特許文献１】
特開平１１−２７４５４２号公報（第１１図、第１８図）
【０００５】
【発明が解決しようとする課題】
従来の太陽電池パネルでは、例えばＲＴＶ接着剤等が太陽電池間の間隙に配置される絶縁バリアとして使用されていたが、この方法では次の課題があった。第一に、絶縁バリアとして使用する接着剤の分だけ重量が増加するという課題があった。第二に、絶縁バリアとして使用する接着剤の材料費、絶縁バリアを設置するための作業コスト、重量増加に伴うロケット打ち上げ費用増加などにより、コスト高となるという課題があった。
【０００６】
また、特許文献１によれば、一列の太陽電池アセンブリ列の電位差をＶボルトとした場合に、隣合う太陽電池列は折り返し電位の方向が逆方向で接続されているため、隣合う太陽電池列における太陽電池間での電位差は折り返した最下段は０ボルトで最も小さく、最上段が最大の２Ｖボルトとなり最も電位差が大きくなる。この最上段がが最も電位差が大きく、静電破壊を起こす危険性が高い部分となる。
【０００７】
太陽電池間の電位差が小さい程太陽電池間で放電が発生する危険性が小さく、太陽電池間の絶縁バリアが無い場合は、有る場合に比べ、電圧が少なくとも１／２以下ならば安全であることが開示されている（特許文献１、段落番号（００４９）参照）。したがって、もし太陽電池間の電位差を小さくすることができる太陽電池の配置構造が実現できれば、太陽電池間の放電を防ぐために有効である。
【０００８】
この発明はかかる課題を解決するためになされたものであり、太陽電池間の間隙に絶縁バリアを設置せずに太陽電池間の放電を抑制することを目的とする。
またこの発明によれば、太陽電池間の間隙に絶縁バリアを設置する場合でも隣り合う太陽電池間の電位差を従来の２Ｖボルトより小さくできることから、太陽電池間の放電に対する安全余裕を従来よりも大きく確保することを目的とする。
【０００９】
【課題を解決するための手段】
第１の発明による太陽電池パネルは、太陽電池と、該太陽電池間を電気的直列に接続するインターコネクタとから構成され、該太陽電池複数個を概直線状に配置し、夫々の太陽電池間をインターコネクタにより電気的直列に接続して成る太陽電池アセンンブリ列と、上記太陽電池アセンブリ列が所定の間隔を置いて複数配列された絶縁体と、隣接する上記複数個の太陽電池アセンブリ列を電気的直列に接続した接続線路とを備え、上記太陽電池アセンブリ列の電位勾配の向きが、何れも同一方向になるように配置したものである。
【００１０】
第２の発明による太陽電池パネルは、太陽電池と、該太陽電池間を電気的直列に接続するインターコネクタとから構成され、該太陽電池複数個を概直線状に配置し、夫々の太陽電池間をインターコネクタにより電気的直列に接続して成る太陽電池アセンンブリ列と、上記太陽電池アセンブリ列が所定の間隔を置いて複数配列された絶縁体と、一部の太陽電池アセンンブリ列を電気的直列に接続して第１の太陽電池ストリングを形成する第１の接続線路と、他の太陽電池アセンンブリ列を電気的直列に接続して第２の太陽電池ストリングを形成する第２の接続線路とを備え、上記第１の太陽電池ストリングの太陽電池アセンンブリ列と、上記第２の太陽電池ストリングの太陽電池アセンンブリ列とが、必ず隣り合うように配列されたものである。
【００１１】
【発明の実施の形態】
実施の形態１．
図１はこの発明の実施の形態１を示す平面図である。図１において、絶縁体１の表面に太陽電池２が固定されている。太陽電池２には、インターコネクタ３が接続されるとともに、カバーガラス４が接着されている。
【００１２】
図２は図１の断面５を示す断面図である。
図２において、絶縁体１の表面に太陽電池２が接着剤６によって固定され、カバーガラス４は太陽電池２の受光面に接着剤７によって固定されている。
なお、図１、図２には、太陽電池アセンブリ列を接続するための配線部分は省略している。
【００１３】
図３はこの発明の実施の形態１の太陽電池回路構成を示す図である。
図３において、最大出力電圧ｕを有する太陽電池アセンブリ８が概直線状にｎ個配列されて太陽電池アセンブリ列９が構成されており、太陽電池アセンブリ列９は最大出力電圧Ｖ＝ｎ・ｕを有している。またＮ個の太陽電池アセンブリ列９が接続線路１０によって電気的直列に接続され太陽電池ストリング１１が構成されており、太陽電池ストリング１１は電気的直列に接続されている各太陽電池アセンブリ列の最大出力電圧の合計値に等しい最大出力電圧Ｖ１＝Ｎ・Ｖを有している。
【００１４】
上記のように構成された太陽電池パネルにおいては、１列目の太陽電池アセンブリ列９ａの図中最下段に位置する太陽電池アセンブリと、２列目の太陽電池アセンブリ列９ｂの図中最上段に位置する太陽電池アセンブリを、接続線路１０によって電気的直列に接続することにより、１列目の太陽電池アセンブリ列９ａ中の太陽電池の電位は図中最上段から順にｕ、２ｕ、…、（ｎ−１）・ｕ、ｎ・ｕとなり、一方２列目の太陽電池アセンブリ列９ｂ中の太陽電池の電位は図中最上段から順にＶ＋ｕ、Ｖ＋２ｕ、…、Ｖ＋（ｎ−１）・ｕ、Ｖ＋ｎ・ｕとなるため、どの太陽電池間においても電位差Ｖを超えない配列ができる。
【００１５】
同様な太陽電池アセンブリ列どうしの接続をＮ列目の太陽電池アセンブリ列９ｃまで繰り返しおこない、太陽電池ストリングにおいてすべての太陽電池の電位勾配の向きを同一方向に揃えることにより、互いに隣り合う太陽電池間の最大電位差が従来は２Ｖボルトだったものが太陽電池アセンブリ列の最大出力電圧Ｖボルト以下に大幅に抑えられる。
【００１６】
これによって太陽電池間の放電を抑制できるとともに、軽量で太陽電池実装効率が良くかつ低コストの太陽電池パネルを提供することができる。また太陽電池間の間隙に絶縁バリアを設置する場合には、太陽電池間の放電に対する安全余裕を従来よりも大きく確保することができる。
【００１７】
実施の形態２．
図１はこの発明の実施の形態２を示す平面図である。図２は図１の断面５を示す断面図である。
【００１８】
図４はこの発明の実施の形態２の太陽電池回路構成を示す図である。
図４において、最大出力電圧ｕを有する太陽電池アセンブリ８ａが概直線状にｎ個配列されて太陽電池アセンブリ列９ａが構成されており、太陽電池アセンブリ列９ａは最大出力電圧Ｖ＝ｎ・ｕを有している。
【００１９】
またＮ個の太陽電池アセンブリ列９ａが接続線路１０によって電気的直列に接続され太陽電池ストリング１１ａが構成されている。同様に、最大出力電圧ｕを有する太陽電池アセンブリ８ｂが概直線状にｎ個配列されて太陽電池アセンブリ列９ｂが構成されており、太陽電池アセンブリ列９ｂは最大出力電圧Ｖ＝ｎ・ｕを有している。
【００２０】
またＮ個の太陽電池アセンブリ列９ｂが接続線路１０によって電気的直列に接続され太陽電池ストリング１１ｂが構成されている。太陽電池ストリング１１ａと太陽電池ストリング１１ｂは、並列に接続されて太陽電池モジュール１２を構成している。
【００２１】
１列目の太陽電池アセンブリ列９ａは最左端に配置され、１列目の太陽電池アセンブリ列９ｂは最右端に配置されており、１列目の太陽電池アセンブリ列９ａは最上段を０ボルトで最下段をＶボルトとした電位差の方向で配置されており、１列目の太陽電池アセンブリ列９ｂは最下段を０ボルトで最上段Ｖボルトをとした電位差の方向で配置されている。
【００２２】
上記のように構成された太陽電池パネルにおいては、太陽電池アセンブリ列９ａの１列目と太陽電池アセンブリ列９ｂの２列目を隣り合うように配列することにより、太陽電池アセンブリ列９ａの１列目の中の太陽電池の電位は図中最上段から順にｕ、２ｕ、…、（ｎ−１）・ｕ、ｎ・ｕとなり、一方太陽電池アセンブリ列９ｂの２列目の中の太陽電池の電位は図中最上段から順にＶ＋ｕ、Ｖ＋２ｕ、…、Ｖ＋（ｎ−１）・ｕ、Ｖ＋ｎ・ｕとなるため、どの太陽電池間においても電位差Ｖを超えない配列ができる。
【００２３】
同様にして、太陽電池モジュール内の１つの太陽電池ストリング１１ａを構成する太陽電池アセンブリ列９ａを、必ず他の並列に接続された太陽電池ストリング１１ｂを構成する太陽電池アセンブリ列９ｂと隣り合うように配列することにより、互いに隣り合うすべての太陽電池間の最大電位差が従来は２Ｖボルトだったものが太陽電池アセンブリ列の最大出力電圧Ｖ以下になり、大幅に抑えられる。
【００２４】
これによって太陽電池間の放電を抑制できるとともに、軽量で太陽電池実装効率が良くかつ低コストの太陽電池パネルを提供することができる。また太陽電池間の間隙に絶縁バリアを設置する場合には、太陽電池間の放電に対する安全余裕を従来よりも大きく確保することができる。
【００２５】
実施の形態３．
図１はこの発明の実施の形態３を示す平面図である。図２は図１の断面５を示す断面図である。
【００２６】
図５はこの発明の実施の形態３の太陽電池回路構成を示す図である。
図５において、最大出力電圧ｕを有する太陽電池アセンブリ８ａが概直線状にｎ個配列されて太陽電池アセンブリ列９ａが構成されており、太陽電池アセンブリ列９ａは最大出力電圧Ｖ＝ｎ・ｕを有している。またＮ個の太陽電池アセンブリ列９ａが接続線路１０によって電気的直列に接続され太陽電池ストリング１１ａが構成されている。
【００２７】
同様に、最大出力電圧ｕを有する太陽電池アセンブリ８ｂが概直線状にｎ個配列されて太陽電池アセンブリ列９ｂが構成されており、太陽電池アセンブリ列９ｂは最大出力電圧Ｖ＝ｎ・ｕを有している。またＮ個の太陽電池アセンブリ列９ｂが接続線路１０によって電気的直列に接続され太陽電池ストリング１１ｂが構成されている。太陽電池ストリング１１ａと太陽電池ストリング１１ｂは並列に接続されて太陽電池モジュール１２ａを構成している。
【００２８】
また、最大出力電圧ｕを有する太陽電池アセンブリ８ｃが概直線状にｎ個配列されて太陽電池アセンブリ列９ｃが構成されており、太陽電池アセンブリ列９ｃは最大出力電圧Ｖ＝ｎ・ｕを有している。またＮ個の太陽電池アセンブリ列９ｃが接続線路１０によって電気的直列に接続され太陽電池ストリング１１ｃが構成されている。
【００２９】
同様に、最大出力電圧ｕを有する太陽電池アセンブリ８ｄが概直線状にｎ個配列されて太陽電池アセンブリ列９ｄが構成されており、太陽電池アセンブリ列９ｄは最大出力電圧Ｖ＝ｎ・ｕを有している。またＮ個の太陽電池アセンブリ列９ｄが接続線路１０によって電気的直列に接続され太陽電池ストリング１１ｄが構成されている。太陽電池ストリング１１ｃと太陽電池ストリング１１ｄは並列に接続されて太陽電池モジュール１２ｂを構成している。
【００３０】
上記のように構成された太陽電池パネルにおいては、太陽電池アセンブリ列９ａの１列目と太陽電池アセンブリ列９ｂの２列目を隣り合うように配列することにより、太陽電池アセンブリ列９ａの１列目の中の太陽電池の電位は図中最上段から順にｕ、２ｕ、…、（ｎ−１）・ｕ、ｎ・ｕとなり、一方太陽電池アセンブリ列９ｂの２列目の中の太陽電池の電位は図中最上段から順にＶ＋ｕ、Ｖ＋２ｕ、…、Ｖ＋（ｎ−１）・ｕ、Ｖ＋ｎ・ｕとなるため、どの太陽電池間においても電位差Ｖを超えない配列ができる。
【００３１】
同様にして、太陽電池モジュール１２ａ内の１つの太陽電池ストリング１１ａを構成する太陽電池アセンブリ列９ａを、必ず他の並列に接続された太陽電池ストリング１１ｂを構成する太陽電池アセンブリ列９ｂと隣り合うように配列することにより、太陽電池モジュール１２ａ内で互いに隣り合うどの太陽電池間においても電位差Ｖを超えない配列ができる。
【００３２】
また、太陽電池アセンブリ列９ｃの１列目と太陽電池アセンブリ列９ｄの２列目を隣り合うように配列することにより、太陽電池アセンブリ列９ｃの１列目の中の太陽電池の電位は図中最上段から順にｕ、２ｕ、…、（ｎ−１）・ｕ、ｎ・ｕとなり、一方太陽電池アセンブリ列９ｄの２列目の中の太陽電池の電位は図中最上段から順にＶ＋ｕ、Ｖ＋２ｕ、…、Ｖ＋（ｎ−１）・ｕ、Ｖ＋ｎ・ｕとなるため、どの太陽電池間においても電位差Ｖを超えない配列ができる。
【００３３】
同様にして、太陽電池モジュール１２ｂ内の１つの太陽電池ストリング１１ｃを構成する太陽電池アセンブリ列９ｃを、必ず他の並列に接続された太陽電池ストリング１１ｄを構成する太陽電池アセンブリ列９ｄと隣り合うように配列することにより、太陽電池モジュール１２ｂ内で互いに隣り合うどの太陽電池間においても電位差Ｖを超えない配列ができる。
【００３４】
さらに、太陽電池モジュール１２ａと太陽電池モジュール１２ｂが隣り合う位置に太陽電池モジュール１２ａと太陽電池モジュール１２ｂの境界線の中心点において点対称になるように配置されているので、太陽電池アセンブリ列９ｂの１列目と太陽電池アセンブリ列９ｃの１列目が配置されることにより、太陽電池アセンブリ列９ｂの１列目の中の太陽電池の電位は図中最上段から順にｎ・ｕ、（ｎ−１）・ｕ、…、２ｕ、ｕとなり、一方太陽電池アセンブリ列９ｃの１列目の中の太陽電池の電位は図中最上段から順にｕ、２ｕ、…、（ｎ−１）・ｕ、ｎ・ｕとなるため、１つの太陽電池モジュール内で他の太陽電池モジュールと隣り合う部分に配置される太陽電池アセンブリ列の最大電位が太陽電池アセンブリ列の最大出力電圧Ｖ以下に抑えられる。
【００３５】
これにより、電力制御回路の制御によって１つの太陽電池モジュールの出力電圧が０Ｖから最大出力電圧Ｖ１まで変化しても、隣り合う太陽電池モジュール間の電位差を含めたすべての太陽電池間の電位差は常に太陽電池アセンブリ列の最大出力電圧Ｖ以下に抑えられる。
【００３６】
これによって太陽電池間の放電を抑制できるとともに、軽量で太陽電池実装効率が良くかつ低コストの太陽電池パネルを提供することができる。また太陽電池間の間隙に絶縁バリアを設置する場合には、太陽電池間の放電に対する安全余裕を従来よりも大きく確保することができる。
【００３７】
実施の形態４．
図１はこの発明の実施の形態４を示す平面図である。図２は図１の断面５を示す断面図である。
【００３８】
図６はこの発明の実施の形態４の太陽電池回路構成を示す図である。
図６において、最大出力電圧ｕを有する太陽電池アセンブリ８ａが概直線状にｎ個配列されて太陽電池アセンブリ列９ａが構成されており、太陽電池アセンブリ列９ａは最大出力電圧Ｖ＝ｎ・ｕを有している。またＮ個の太陽電池アセンブリ列９ａが接続線路１０によって電気的直列に接続され太陽電池ストリング１１ａが構成されている。
【００３９】
同様に、最大出力電圧ｕを有する太陽電池アセンブリ８ｂが概直線状にｎ個配列されて太陽電池アセンブリ列９ｂが構成されており、太陽電池アセンブリ列９ｂは最大出力電圧Ｖ＝ｎ・ｕを有している。またＮ個の太陽電池アセンブリ列９ｂが接続線路１０によって電気的直列に接続され太陽電池ストリング１１ｂが構成されている。太陽電池ストリング１１ａと太陽電池ストリング１１ｂは並列に接続されて太陽電池モジュール１２ａを構成している。
【００４０】
また、最大出力電圧ｕを有する太陽電池アセンブリ８ｃが概直線状にｎ個配列されて太陽電池アセンブリ列９ｃが構成されており、太陽電池アセンブリ列９ｃは最大出力電圧Ｖ＝ｎ・ｕを有している。またＮ個の太陽電池アセンブリ列９ｃが接続線路１０によって電気的直列に接続され太陽電池ストリング１１ｃが構成されている。
【００４１】
同様に、最大出力電圧ｕを有する太陽電池アセンブリ８ｄが概直線状にｎ個配列されて太陽電池アセンブリ列９ｄが構成されており、太陽電池アセンブリ列９ｄは最大出力電圧Ｖ＝ｎ・ｕを有している。またＮ個の太陽電池アセンブリ列９ｄが接続線路１０によって電気的直列に接続され太陽電池ストリング１１ｄが構成されている。太陽電池ストリング１１ｃと太陽電池ストリング１１ｄは並列に接続されて太陽電池モジュール１２ｂを構成している。
【００４２】
上記のように構成された太陽電池パネルにおいては、太陽電池アセンブリ列９ａの１列目と太陽電池アセンブリ列９ｂの２列目を隣り合うように配列することにより、太陽電池アセンブリ列９ａの１列目の中の太陽電池の電位は図中最上段から順にｕ、２ｕ、…、（ｎ−１）・ｕ、ｎ・ｕとなり、一方太陽電池アセンブリ列９ｂの２列目の中の太陽電池の電位は図中最上段から順にＶ＋ｕ、Ｖ＋２ｕ、…、Ｖ＋（ｎ−１）・ｕ、Ｖ＋ｎ・ｕとなるため、どの太陽電池間においても電位差Ｖを超えない配列ができる。
【００４３】
同様にして、太陽電池モジュール１２ａ内の１つの太陽電池ストリング１１ａを構成する太陽電池アセンブリ列９ａを、必ず他の並列に接続された太陽電池ストリング１１ｂを構成する太陽電池アセンブリ列９ｂと隣り合うように配列することにより、太陽電池モジュール１２ａ内で互いに隣り合うどの太陽電池間においても電位差Ｖを超えない配列ができる。
【００４４】
また、太陽電池アセンブリ列９ｃの１列目と太陽電池アセンブリ列９ｄの２列目を隣り合うように配列することにより、太陽電池アセンブリ列９ｃの１列目の中の太陽電池の電位は図中最上段から順にｕ、２ｕ、…、（ｎ−１）・ｕ、ｎ・ｕとなり、一方太陽電池アセンブリ列９ｄの２列目の中の太陽電池の電位は図中最上段から順にＶ＋ｕ、Ｖ＋２ｕ、…、Ｖ＋（ｎ−１）・ｕ、Ｖ＋ｎ・ｕとなるため、どの太陽電池間においても電位差Ｖを超えない配列ができる。
【００４５】
同様にして、太陽電池モジュール１２ｂ内の１つの太陽電池ストリング１１ｃを構成する太陽電池アセンブリ列９ｃを、必ず他の並列に接続された太陽電池ストリング１１ｄを構成する太陽電池アセンブリ列９ｄと隣り合うように配列することにより、太陽電池モジュール１２ｂ内で互いに隣り合うどの太陽電池間においても電位差Ｖを超えない配列ができる。
【００４６】
さらに、太陽電池モジュール１２ａと太陽電池モジュール１２ｂが隣り合う位置に、太陽電池モジュール１２ａと太陽電池モジュール１２ｂの境界線に対して線対称に配置されているので、太陽電池アセンブリ列９ｂの１列目と太陽電池アセンブリ列９ｃの１列目が配置されることにより、太陽電池アセンブリ列９ｂの１列目の中の太陽電池の電位は図中最上段から順にｎ・ｕ、（ｎ−１）・ｕ、…、２ｕ、ｕとなり、一方太陽電池アセンブリ列９ｃの１列目の中の太陽電池の電位は図中最上段から順にｎ・ｕ、（ｎ−１）・ｕ、…、２ｕ、ｕとなるため、１つの太陽電池モジュール内で他の太陽電池モジュールと隣り合う部分に配置される太陽電池アセンブリ列の電位差が０Ｖで配置される。
【００４７】
これにより、電力制御回路の制御によって１つの太陽電池モジュールの出力電圧が０Ｖから最大出力電圧Ｖ１まで変化しても、隣り合う太陽電池モジュール間の電位差を含めたすべての太陽電池間の電位差は常に太陽電池アセンブリ列の最大出力電圧Ｖ以下に抑えられる。
【００４８】
さらに、太陽電池モジュール１２ａの太陽電池アセンブリ配列パターンが、太陽電池モジュール１２ｂの太陽電池アセンブリ配列パターンと線対称性を有していることにより、１つの太陽電池モジュールが発生する磁場が他の太陽電池モジュールが発生する磁場によってキャンセルされる。
【００４９】
またこれによって太陽電池間の放電を抑制できるとともに、軽量で太陽電池実装効率が良くかつ低コストの太陽電池パネルを提供することができる。また太陽電池間の間隙に絶縁バリアを設置する場合には、太陽電池間の放電に対する安全余裕を従来よりも大きく確保することができる。
【００５０】
【発明の効果】
この発明によれば、以上述べたように、太陽電池間の間隙に絶縁バリアを設置せずに太陽電池間の放電を抑制できる。また太陽電池間の間隙に絶縁バリアを設置する場合には、太陽電池間の放電に対する安全余裕を従来よりも大きく確保することができる。
【図面の簡単な説明】
【図１】この発明による実施の形態１から４の平面図である。
【図２】図１における断面を示した図である。
【図３】この発明による実施の形態１の太陽電池回路図である。
【図４】この発明による実施の形態２の太陽電池回路図である。
【図５】この発明による実施の形態３の太陽電池回路図である。
【図６】この発明による実施の形態４の太陽電池回路図である。
【符号の説明】
１  絶縁体、  ２  太陽電池、  ３  インターコネクタ、  ４  カバーガラス、  ５  断面、  ６  接着剤、  ７  接着剤、  ８  太陽電池アセンブリ、  ９太陽電池アセンブリ列、  １０  接続線路、  １１  太陽電池ストリング、  １２  太陽電池モジュール。
【図１】
2004265926.tif 000003
【図２】
2004265926.tif 000004
【図３】
2004265926.tif 000005
【図４】
2004265926.tif 000006
【図５】
2004265926.tif 000007
【図６】
2004265926.tif 000008